(57)【要約】      （修正有）【課題】シリコーン系化合物を含み、流路に備えられる弾性部材を有する記録装置に用いられた場合であっても、優れた印字安定性が得られつつ、弾性部材が膨潤することを抑制するインク組成物を提供する。【解決手段】水と、有機溶剤と、シリコーン系化合物とを含み、シリコーン系化合物が、特定のシラノール基を有する化合物と、特定のシロキサン化合物を含み、シリコーン系化合物の合計含有量が、当該インク組成物の総量に対して、４００×１０-6質量％以下のインク組成物を収容する収容体と、該収容体から該インク組成物を供給される記録用ヘッドと、を接続する流路の少なくとも一部に備えられる弾性部材を有する記録装置に用いられる、インク組成物。【選択図】なし【特許請求の範囲】
【請求項１】
水と、有機溶剤と、シリコーン系化合物と、を含むインク組成物であって、
下記一般式（１）で表される化合物と下記一般式（２）で表される化合物との合計含有量が、前記インク組成物の総量に対して、４００×１０-6質量％以下であり、
前記インク組成物を収容する収容体と、該収容体から該インク組成物を供給される記録用ヘッドと、を接続する流路の少なくとも一部に備えられる弾性部材を有する記録装置に用いられる、インク組成物。
【化１】
2019099648.tif 000008
【化２】
2019099648.tif 000009
（式中、Ｘは水素原子を示し、ｍは０〜２を示し、Ｒはそれぞれ独立にＣnＨ2n+1を示し、ｎは１〜５を示す。）
【請求項２】
前記シリコーン系化合物は、トリメチルシラノール及びヘキサメチルジシロキサンからなる群より選択される１種又は２種以上を含み、
前記トリメチルシラノールと前記ヘキサメチルジシロキサンとの合計含有量が、前記インク組成物の総量に対して、１００×１０-6質量％以下である、
請求項１に記載のインク組成物。
【請求項３】
ｐＨが、８．０〜１０である、
請求項１又は２に記載のインク組成物。
【請求項４】
前記シリコーン系化合物の含有量が、前記インク組成物の総量に対して、０．２〜０．８質量％である、
請求項１〜３のいずれか一項に記載のインク組成物。
【請求項５】
表面張力が、２４〜２８ｍＮ／ｍである、
請求項１〜４のいずれか一項に記載のインク組成物。
【請求項６】
請求項１〜５のいずれか一項に記載のインク組成物を収容する収容体と、該収容体から該インク組成物を供給される記録用ヘッドと、を接続する流路の少なくとも一部に備えられる弾性部材を有する、
記録装置。
【請求項７】
前記記録用ヘッドは、主走査方向に５０ｃｍ以上移動可能である、請求項６に記載の記録装置。
【発明の詳細な説明】
【技術分野】
【０００１】
本発明は、インク組成物、及び記録装置に関する。
【背景技術】
【０００２】
インクジェット記録装置は、比較的単純な装置で、高精細な画像の記録が可能であり、各方面で急速な発展を遂げている。その中で、より安定して高品質な記録物を得ることについて種々の検討がなされている。
【０００３】
例えば、特許文献１には、従来の技術では実現できなかったような小型で軽量、かつ構造がシンプルで動作の信頼性が高く、また複数個を一体とすることが可能な流体用開閉器や、その流体用開閉器を用いたインクジェット記録装置、および流体用開閉器の製造方法を提供することを目的として、貫通路が形成された支持部材と、該支持部材の前記貫通路の遮断状態と連通状態との切り替えを行うように前記貫通路の内部に、もしくは前記貫通路の内壁面が遮断状態と連通状態との切り替えを行うように変形可能に支持され、かつ、少なくとも一部が形状記憶合金により構成された弁体とを有する流体用開閉器が開示されている。
【先行技術文献】
【特許文献】
【０００４】
【特許文献１】特開２０００−１３５７９５号公報
【発明の概要】
【発明が解決しようとする課題】
【０００５】
ここで、記録装置に用いられるインク組成物は、浸透性や濡れ性、印字安定性を向上させるためにシリコーン系化合物を含む場合がある。また、特許文献１に開示されているような流体用開閉器を用いた記録装置において、インク組成物が流通する貫通路（以下、「流路」ともいう。）が形成される支持部材には、少なくとも一部に弾性部材が用いられることが一般的である。しかしながら、インク組成物が流通する流路の少なくとも一部に備えられた弾性部材を有する記録装置に、従来のシリコーン系化合物を含むインク組成物を用いた場合は、優れた印字安定性が得られるものの、原料のシリコーン系化合物に不純物として含まれる低分子シロキサン化合物が弾性部材を膨潤させることに起因して、弾性部材が変形する場合がある。流路中の弾性部材が変形すると、流路を流通するインク組成物の量を正確に制御できなくなる等の不具合につながる場合がある。このような不具合は、インク組成物の流通量が多い大型のインクジェット記録装置においてより顕著になり得る。
【０００６】
そこで、本発明は、上述の課題を解決するためになされたものであり、シリコーン系化合物を含み、流路に備えられる弾性部材を有する記録装置に用いられた場合であっても、優れた印字安定性が得られつつ、弾性部材が膨潤することを抑制するインク組成物を提供することを目的とする。
【課題を解決するための手段】
【０００７】
本発明者らは、上記課題を解決するために鋭意検討した結果、水と有機溶剤とシリコーン系化合物とを含み、特定のシロキサン化合物の含有量が所定値以下である、インク組成物を収容する収容体と該収容体から該インク組成物を供給される記録用ヘッドとを接続する流路の少なくとも一部に備えられる弾性部材を有する、記録装置に用いられるためのインク組成物を用いることにより、優れた印字安定性が得られつつ、弾性部材が膨潤することを抑制することを見出して、本発明を完成させた。
【０００８】
すなわち、本発明は、水と、有機溶剤と、シリコーン系化合物と、を含むインク組成物であって、下記一般式（１）で表される化合物と下記一般式（２）で表される化合物との合計含有量が、前記インク組成物の総量に対して、４００×１０-6質量％以下であり、前記インク組成物を収容する収容体と、該収容体から該インク組成物を供給される記録用ヘッドと、を接続する流路の少なくとも一部に備えられる弾性部材を有する記録装置に用いられる、インク組成物である。
【化１】
2019099648.tif 000002
【化２】
2019099648.tif 000003
（式中、Ｘは水素原子を示し、ｍは０〜２を示し、Ｒはそれぞれ独立にＣnＨ2n+1を示し、ｎは１〜５を示す。）
【０００９】
このようなインク組成物が本発明の課題を解決できる要因は下記のように考えている。ただし、要因はこれに限定されない。すなわち、従来のシリコーン化合物を含むインク組成物は、優れた印字安定性が得られるものの、該インク組成物が流通する流路の少なくとも一部に備えられた弾性部材を有する記録装置に、シリコーン系化合物に不純物として含まれる低分子シロキサン化合物が弾性部材を膨潤させることに起因して、弾性部材が変形する場合がある。一方、本発明に係るインク組成物は、シリコーン系化合物を含み、流路に備えられる弾性部材を有する記録装置に用いられた場合であっても、特定のシロキサン化合物の含有量が所定値以下であることに起因して、インク組成物と弾性部材とが接触しても、弾性部材の膨潤が抑制される。また、本発明に係るインク組成物は、シリコーン系化合物を含むことにより、優れた印字安定性を得ることができる。
【００１０】
また、本発明に係るインク組成物は、前記シリコーン系化合物は、トリメチルシラノール及びヘキサメチルジシロキサンからなる群より選択される１種又は２種以上を含み、前記トリメチルシラノールと前記ヘキサメチルジシロキサンとの合計含有量が、前記インク組成物の総量に対して、１００×１０-6質量％以下であると好ましく、ｐＨが、８．０〜１０であると好ましく、前記シリコーン系化合物の含有量が、前記インク組成物の総量に対して、０．２〜０．８質量％であると好ましく、表面張力が、２４〜２８ｍＮ／ｍであると好ましい。
【００１１】
また、本発明は、本発明に係るインク組成物を収容する収容体と、該収容体から該インク組成物を供給される記録用ヘッドと、を接続する流路の少なくとも一部に備えられる弾性部材を有する記録装置である。また、本発明に係る記録装置は、前記記録用ヘッドが、主走査方向に５０ｃｍ以上移動可能であると好ましい。
【図面の簡単な説明】
【００１２】
【図１】本実施形態に用い得るインクジェット記録装置の一例の全体の概略を示す側面図である。
【発明を実施するための形態】
【００１３】
以下、必要に応じて図面を参照しつつ、本発明の実施の形態（以下、「本実施形態」という。）について詳細に説明するが、本発明はこれに限定されるものではなく、その要旨を逸脱しない範囲で様々な変形が可能である。なお、図面中、同一要素には同一符号を付すこととし、重複する説明は省略する。また、上下左右などの位置関係は、特に断らない限り、図面に示す位置関係に基づくものとする。さらに、図面の寸法比率は図示の比率に限られるものではない。
【００１４】
〔インク組成物〕
本実施形態のインク組成物は、水と有機溶剤とシリコーン系化合物とを含むインク組成物である。また、本実施形態のインク組成物において、下記一般式（１）で表される化合物と下記一般式（２）で表される化合物（以下、まとめて「低分子シロキサン化合物」ともいう。）との合計含有量（以下、「低分子シロキサン化合物の含有量」ともいう。）が、インク組成物の総量に対して、４００×１０-6質量％以下である。さらに、本実施形態のインク組成物は、インク組成物を収容する収容体と、該収容体から該インク組成物を供給される記録用ヘッドとを接続する流路の少なくとも一部に備えられる弾性部材を有する、記録装置に用いられるためのインク組成物である。
【化３】
2019099648.tif 000004
【化４】
2019099648.tif 000005
（式中、Ｘは水素原子を示し、ｍは０〜２を示し、Ｒはそれぞれ独立にＣnＨ2n+1を示し、ｎは１〜５を示す。）
【００１５】
本実施形態のインク組成物を用いることにより、該インク組成物がシリコーン系化合物を含み、流路に備えられる弾性部材を有する記録装置に用いられた場合であっても、優れた印字安定性が得られつつ、弾性部材が膨潤することを抑制する。このようなインク組成物が優れた印字安定性が得られつつ、弾性部材が膨潤することを抑制する要因は下記のように考えている。ただし、要因はこれに限定されない。すなわち、従来のシリコーン化合物を含むインク組成物は、優れた印字安定性が得られるものの、該インク組成物が流通する流路の少なくとも一部に備えられた弾性部材を有する記録装置に、シリコーン系化合物に不純物として含まれる低分子シロキサン化合物が弾性部材を膨潤させることに起因して、弾性部材が変形する場合がある。一方、本実施形態のインク組成物は、シリコーン系化合物を含み、流路に備えられる弾性部材を有する記録装置に用いられた場合であっても、特定のシロキサン化合物の含有量が所定値以下であることに起因して、インク組成物と弾性部材とが接触しても、弾性部材の膨潤が抑制される。また、本実施形態のインク組成物は、シリコーン系化合物を含みことにより、優れた印字安定性を得ることができる。
【００１６】
インク組成物の表面張力は、特に限定されないが、好ましくは２０〜５０ｍＮ／ｍであり、より好ましくは２２〜３５ｍＮ／ｍであり、さらに好ましくは２４〜２８ｍＮ／ｍである。インク組成物の表面張力が上記範囲内であることにより、印字安定性により優れる傾向にある。表面張力は、公知の測定法により求めることができる。
【００１７】
インク組成物のｐＨは、特に限定されないが、好ましくは７．０〜１１であり、より好ましくは７．５〜１０．５であり、さらに好ましくは８．０〜１０である。インク組成物のｐＨが上記範囲内であることにより、弾性部材が膨潤することをより抑制できる傾向にある。ｐＨは、公知の測定法により求めることができる。
【００１８】
本実施形態において、低分子シロキサン化合物の含有量は、インク組成物の総量に対して、４００×１０-6質量％以下であり、好ましくは３００×１０-6質量％以下であり、より好ましくは２００×１０-6質量％以下であり、さらに好ましくは１００×１０-6質量％以下である。低分子シロキサン化合物の含有量が上記範囲内であることにより、弾性部材が膨潤することをより抑制できる。
【００１９】
インク組成物は、トリメチルシラノール及びヘキサメチルジシロキサンからなる群より選択される１種又は２種以上を含み、トリメチルシラノールとヘキサメチルジシロキサンとの合計含有量が、インク組成物の総量に対して、好ましくは１００×１０-6質量％以下であり、より好ましくは８５×１０-6質量％以下であり、さらに好ましくは５０×１０-6質量％以下であり、よりさらに好ましくは３０×１０-6質量％以下であり、さらにより好ましくは２５×１０-6質量％以下である。トリメチルシラノールとヘキサメチルジシロキサンとの合計含有量が上記範囲内であることにより、弾性部材が膨潤することをより抑制できる。
【００２０】
低分子シロキサン化合物、トリメチルシラノール及びヘキサメチルジシロキサンは、特に限定されないが、後述するシリコーン化合物に不純物として含まれている場合や、シリコーン化合物から分解して生成することにより、インク組成物に含まれる。
【００２１】
＜色材＞
本実施形態のインク組成物は、さらに色材を含む有色のインク組成物としてもよく、また、色材を実質的に含まない、クリアのインク組成物としてもよい。色材としては、顔料を用いることができる。顔料としては、特に限定されないが、例えば、以下のものが挙げられる。
【００２２】
ブラックインクに使用されるカーボンブラックとしては、特に限定されないが、例えば、Ｎｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等（以上、三菱化学社（Ｍｉｔｓｕｂｉｓｈｉ  Ｃｈｅｍｉｃａｌ  Ｃｏｒｐｏｒａｔｉｏｎ）製）、Ｒａｖｅｎ  ５７５０、Ｒａｖｅｎ  ５２５０、Ｒａｖｅｎ  ５０００、Ｒａｖｅｎ  ３５００、Ｒａｖｅｎ  １２５５、Ｒａｖｅｎ  ７００等（以上、コロンビアカーボン（Ｃａｒｂｏｎ  Ｃｏｌｕｍｂｉａ）社製）、Ｒｅｇａ１  ４００Ｒ、Ｒｅｇａ１  ３３０Ｒ、Ｒｅｇａ１  ６６０Ｒ、Ｍｏｇｕｌ  Ｌ、Ｍｏｎａｒｃｈ  ７００、Ｍｏｎａｒｃｈ  ８００、Ｍｏｎａｒｃｈ  ８８０、Ｍｏｎａｒｃｈ  ９００、Ｍｏｎａｒｃｈ  １０００、Ｍｏｎａｒｃｈ  １１００、Ｍｏｎａｒｃｈ  １３００、Ｍｏｎａｒｃｈ  １４００等（キャボット社（ＣＡＢＯＴ  ＪＡＰＡＮ  Ｋ．Ｋ．）製）、Ｃｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ  ＦＷ１８、Ｃｏｌｏｒ  Ｂｌａｃｋ  ＦＷ２００、Ｃｏｌｏｒ  Ｂ１ａｃｋ  Ｓ１５０、Ｃｏｌｏｒ  Ｂｌａｃｋ  Ｓ１６０、Ｃｏｌｏｒ  Ｂｌａｃｋ  Ｓ１７０、Ｐｒｉｎｔｅｘ  ３５、Ｐｒｉｎｔｅｘ  Ｕ、Ｐｒｉｎｔｅｘ  Ｖ、Ｐｒｉｎｔｅｘ  １４０Ｕ、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ  ４（以上、デグッサ（Ｄｅｇｕｓｓａ）社製）が挙げられる。
【００２３】
ホワイトインクに使用される顔料としては、特に限定されないが、例えば、Ｃ．Ｉ．ピグメントホワイト  ６、１８、２１、酸化チタン、酸化亜鉛、硫化亜鉛、酸化アンチモン、酸化ジルコニウム、白色の中空樹脂粒子及び高分子粒子が挙げられる。
【００２４】
イエローインクに使用される顔料としては、特に限定されないが、例えば、Ｃ．Ｉ．ピグメントイエロー  １、２、３、４、５、６、７、１０、１１、１２、１３、１４、１６、１７、２４、３４、３５、３７、５３、５５、６５、７３、７４、７５、８１、８３、９３、９４、９５、９７、９８、９９、１０８、１０９、１１０、１１３、１１４、１１７、１２０、１２４、１２８、１２９、１３３、１３８、１３９、１４７、１５１、１５３、１５４、１６７、１７２、１８０が挙げられる。
【００２５】
マゼンタインクに使用される顔料としては、特に限定されないが、例えば、Ｃ．Ｉ．ピグメントレッド  １、２、３、４、５、６、７、８、９、１０、１１、１２、１４、１５、１６、１７、１８、１９、２１、２２、２３、３０、３１、３２、３７、３８、４０、４１、４２、４８：２、４８：５、５７：１、８８、１１２、１１４、１２２、１２３、１４４、１４６、１４９、１５０、１６６、１６８、１７０、１７１、１７５、１７６、１７７、１７８、１７９、１８４、１８５、１８７、２０２、２０９、２１９、２２４、２４５、又はＣ．Ｉ．ピグメントヴァイオレット  １９、２３、３２、３３、３６、３８、４３、５０が挙げられる。
【００２６】
シアンインクに使用される顔料としては、特に限定されないが、例えば、Ｃ．Ｉ．ピグメントブルー  １、２、３、１５、１５：１、１５：２、１５：３、１５：３４、１５：４、１６、１８、２２、２５、６０、６５、６６、Ｃ．Ｉ．バットブルー  ４、６０が挙げられる。
【００２７】
また、上記以外の顔料としては、特に限定されないが、例えば、Ｃ．Ｉ．ピグメントグリーン  ７，１０、Ｃ．Ｉ．ピグメントブラウン  ３，５，２５，２６、Ｃ．Ｉ．ピグメントオレンジ  １，２，５，７，１３，１４，１５，１６，２４，３４，３６，３８，４０，４３，６３が挙げられる。
【００２８】
色材は、自己分散型顔料及びポリマー分散型顔料からなる群より選択される１種又は２種以上の顔料を含むことが好ましい。これにより、色材が記録物中に均一に分散されることに起因して、光沢性により優れる傾向にある。
【００２９】
自己分散型顔料とは、その表面に親水基を有する顔料である。親水基としては、−ＯＭ、−ＣＯＯＭ、−ＣＯ−、−ＳＯ3Ｍ、−ＳＯ2Ｍ、−ＳＯ2ＮＨ2、−ＲＳＯ2Ｍ、−ＰＯ3ＨＭ、−ＰＯ3Ｍ2、−ＳＯ2ＮＨＣＯＲ、−ＮＨ3、及び−ＮＲ3からなる群より選択される少なくとも１種の親水基であることが好ましい。
【００３０】
なお、これらの化学式中、Ｍは、水素原子、アルカリ金属、アンモニウム、置換基を有していてもよいフェニル基、又は有機アンモニウムを表し、Ｒは、炭素原子数１〜１２のアルキル基又は置換基を有していてもよいナフチル基を表す。また、上記のＭ及びＲは、それぞれ互いに独立して選択される。
【００３１】
自己分散型顔料は、具体的には、顔料に物理的処理及び／又は化学的処理を施すことで、上記親水基を顔料の表面に結合（グラフト）させて製造される。当該物理的処理として、具体的には、真空プラズマ処理等が挙げられる。また、当該化学的処理として、具体的には水中で酸化剤により酸化する湿式酸化法、ｐ−アミノ安息香酸を顔料表面に結合させることによりフェニル基を介してカルボキシル基を結合させる方法等が挙げられる。
【００３２】
上記のポリマー分散型顔料とは、ポリマーによって液中に分散可能となった顔料である。ポリマーの含有量は、顔料とポリマーとの総量に対して、１０〜９０質量％であることが好ましく、３０〜８０質量％であることがより好ましく、６０〜７０質量％であることがさらに好ましい。この含有量が１０質量％以上であることで、分散性が良好なものとなる傾向にある。また、この含有量が９０質量％以下であることで、発色性がさらに良好なものとなる傾向にある。
【００３３】
上記ポリマーは、その構成成分のうち７０質量％以上が（メタ）アクリレート及び（メタ）アクリル酸の共重合によるポリマーであると好ましい。これにより、インクの定着性及び光沢性に一層優れるものとなる傾向にある。また、炭素数１〜２４のアルキル（メタ）アクリレート及び炭素数３〜２４の環状アルキル（メタ）アクリレートのうち少なくとも一方が７０質量％以上のモノマー成分から重合されたものであることがより好ましい。当該モノマー成分として、具体的には、メチル（メタ）アクリレート、エチル（メタ）アクリレート、プロピル（メタ）アクリレート、ｎ−ブチル（メタ）アクリレート、イソブチル（メタ）アクリレート、ペンチル（メタ）アクリレート、ヘキシル（メタ）アクリレート、２−エチルヘキシル（メタ）アクリレート、オクチル（メタ）アクリレート、ノニル（メタ）アクリレート、デシル（メタ）アクリレート、ｔ−ブチルシクロヘキシル（メタ）アクリレート、ラウリル（メタ）アクリレート、イソボロニル（メタ）アクリレート、セチル（メタ）アクリレート、ステアリル（メタ）アクリレート、イソステアリル（メタ）アクリレート、テトラメチルピペリジル（メタ）アクリレート、ジシクロペンタニル（メタ）アクリレート、ジシクロペンテニル（メタ）アクリレート、ジシクロペンテニルオキシ（メタ）アクリレート、及びベヘニル（メタ）アクリレートが挙げられる。また、その他の重合用モノマー成分として、ヒドロキシエチル（メタ）アクリレート、ヒドロキシプロピル（メタ）アクリレート、ジエチレングリコール（メタ）アクリレート等のヒドロキシル基を有するヒドロキシ（メタ）アクリレート、ウレタン（メタ）アクリレート、エポキシ（メタ）アクリレート等も挙げられる。なお、本明細書において、「（メタ）アクリレート」は、「メタクリレート」及び「アクリレート」の両方を含む概念である。
【００３４】
インク組成物において、色材の含有量は、インク組成物の総量（１００質量％）に対して固形分量換算で、好ましくは０．１〜２０質量％であり、より好ましくは１．０〜１５質量％であり、さらに好ましくは３．０〜１０質量％である。色材の含有量が上記範囲内であることにより、発色性がより向上する傾向にある。
【００３５】
＜樹脂＞
本実施形態のインク組成物は、樹脂を含むことができる。本実施形態の樹脂は、水に安定に分散させるために必要な親水成分が導入された自己分散型の樹脂粒子（自己分散型樹脂粒子）であってもよいし、外部乳化剤の使用により水分散性となる樹脂粒子であってもよい。
【００３６】
樹脂としては、例えば、（メタ）アクリル系樹脂、ウレタン系樹脂、エポキシ系樹脂、ポリオレフィン系樹脂、スチレンアクリル系樹脂、フルオレン系樹脂、ロジン変性樹脂、テルペン系樹脂、ポリエステル系樹脂、ポリアミド系樹脂、塩化ビニル系樹脂、塩化ビニル−酢酸ビニル共重合体、及びエチレン酢酸ビニル系樹脂が挙げられる。これらの中でも、（メタ）アクリル系樹脂、ウレタン系樹脂、エポキシ系樹脂、ポリオレフィン系樹脂、及びスチレンアクリル系樹脂からなる群より選択される１種又は２種以上であることが好ましく、ウレタン系樹脂及びスチレンアクリル系樹脂からなる群より選択される１種又は２種以上であることがより好ましい。これらの樹脂は、１種を単独で用いてもよいし、２種以上を併用してもよい。
【００３７】
（メタ）アクリル系樹脂とは、（メタ）アクリル骨格を有する樹脂を意味する。（メタ）アクリル系樹脂としては、特に限定されないが、例えば、（メタ）アクリル酸、（メタ）アクリル酸エステル等の、（メタ）アクリル系単量体の重合体や、（メタ）アクリル系単量体と他の単量体との共重合体が挙げられる。他の単量体としては、スチレン等のビニル系単量体が挙げられる。なお、本明細書において、「（メタ）アクリル」は、「メタクリル」及び「アクリル」の両方を含む概念である。
【００３８】
ウレタン系樹脂としては、ウレタン結合以外に、主鎖にエーテル結合を含むポリエーテル型ウレタン樹脂、主鎖にエステル結合を含むポリエステル型ウレタン樹脂、主鎖にカーボネート結合を含むポリカーボネート型ウレタン樹脂が挙げられる。これらの中では、主鎖にエステル結合を含むポリエステル型ウレタン樹脂が好ましい。これらのウレタン樹脂は、１種を単独で又は複数種を組み合わせて使用することができる。
【００３９】
ウレタン系樹脂の市販品としては、ＵＷ−１５０１Ｆ、ＵＷ−５００２（以上、宇部興産株式会社製商品名）、Ｗ−６０６１、Ｗ−６１１０（以上、三井化学株式会社製商品名）ＵＸ−１５０、ＵＸ−３９０、ＵＸ−２００（以上、三洋化成工業株式会社製商品名）が挙げられる。
【００４０】
スチレンアクリル系樹脂としては、例えば、スチレン、α−メチルスチレン、ビニルトルエン、４−ｔ−ブチルスチレン、クロルスチレン、ビニルアニソール、ビニルナフタレン等の芳香族ビニル単量体類と、上述した（メタ）アクリル系樹脂に用いられる単量体との共重合体が挙げられ、公知のものを適宜用いることも可能である。また、これらの中でも、後述する実施例に記載のスチレンアクリル系樹脂が好ましい。
【００４１】
インク組成物において、樹脂の含有量は、インク組成物の総量（１００質量％）に対して固形分換算で、好ましくは１．０〜５０質量％であり、より好ましくは５．０〜３０質量％であり、さらに好ましくは１５〜２５質量％である。樹脂の含有量が上記範囲内であることにより、印字安定性により優れる傾向にある。
【００４２】
＜有機溶剤＞
本実施形態のインク組成物は、有機溶剤を含む。有機溶剤の種類としては、特に限定されないが、例えば、環状窒素化合物、非プロトン性極性溶剤、モノアルコール、アルキルポリオール、及びグリコールエーテルが挙げられる。
【００４３】
有機溶剤は、環状窒素化合物及び非プロトン性極性溶剤の少なくともいずれかを含有することが好ましい。インク組成物は環状窒素化合物又は非プロトン性極性溶剤を含有することにより、樹脂粒子の見かけのガラス転位温度を低温側に移行させることができ、本来よりもコアポリマー及びシェルポリマーを低い温度で軟化させることができることから、被記録媒体へのインク組成物の定着性を向上させることができる傾向にある。これにより、特に、被記録媒体がポリ塩化ビニルからなる場合に、被記録媒体へのインク組成物の定着性を向上させることができる。
【００４４】
非プロトン性極性溶剤としては、特に限定されないが、例えば、環状ケトン化合物、鎖状ケトン化合物、及び鎖状窒素化合物が挙げられる。また、環状窒素化合物及び非プロトン性極性溶剤としては、ピロリドン系、イミダゾリジノン系、スルホキシド系、ラクトン系、アミドエーテル系の溶剤が代表例として挙げられる。具体的には、これらの中でも２−ピロリドン、Ｎ−アルキル−２−ピロリドン、１−アルキル−２−ピロリドン、γ‐ブチロラクトン、１，３−ジメチル−２−イミダゾリジノン、ジメチルスルホキシド、イミダゾール、１−メチルイミダゾール、２−メチルイミダゾール、及び１，２−ジメチルイミダゾールが好ましい。
【００４５】
モノアルコールとしては、特に限定されないが、例えば、メタノール、エタノール、ｎ−プロピルアルコール、ｉｓｏ−プロピルアルコール、ｎ−ブタノール、２−ブタノール、ｔｅｒｔ−ブタノール、ｉｓｏ−ブタノール、ｎ−ペンタノール、２−ペンタノール、３−ペンタノール、及びｔｅｒｔ−ペンタノールが挙げられる。
【００４６】
アルキルポリオールとしては、特に限定されないが、例えば、グリセリン、エチレングリコール、ジエチレングリコール、トリエチレングリコール、プロピレングリコール（１，２−プロパンジオール）、ジプロピレングリコール、１，３−プロピレングリコール（１，３−プロパンジオール）、イソブチレングリコール（２−メチル−１，２−プロパンジオール）、１，２−ブタンジオール、１，３−ブタンジオール（１，３−ブチレングリコール）、１，４−ブタンジオール、２−ブテン−１，４−ジオール、１，２−ペンタンジオール、１，５−ペンタンジオール、２−メチル−２，４−ペンタンジオール、１，２−ヘキサンジオール、１，６−ヘキサンジオール、２−エチル−１，３−ヘキサンジオール、１，７−ヘプタンジオール、及び１，８−オクタンジオールが挙げられる。
【００４７】
グリコールエーテルとしては、特に限定されないが、例えば、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｎ−ブチルエーテル、トリエチレングリコールモノブチルエーテル、ジエチレングリコールモノ−ｔ−ブチルエーテル、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、プロピレングリコールモノ−ｎ−ブチルエーテル、ジプロピレングリコールモノ−ｎ−ブチルエーテル、ジプロピレングリコールモノ−ｎ−プロピルエーテル、及びジプロピレングリコールモノ−ｉｓｏ−プロピルエーテルが挙げられる。
【００４８】
有機溶剤の含有量は、インク組成物の総量（１００質量％）に対し、好ましくは３．０〜７０質量％であり、より好ましくは５．０〜５０質量％であり、さらに好ましくは１０〜３０質量％である。有機溶剤の含有量が７０質量％以下であることにより、被記録媒体に付着したインク組成物の乾燥性がより向上する傾向にある。また、有機溶剤の含有量が３．０質量％以上であることにより、より優れた印字安定性を確保できる傾向にある。
【００４９】
＜シリコーン系化合物＞
インク組成物は、優れた印字安定性を得る観点から、シリコーン系化合物を含む。シリコーン系界面活性剤としては、特に限定されないが、例えば、ポリシロキサン系化合物、及びポリエーテル変性オルガノシロキサンが挙げられる。シリコーン系界面活性剤の市販品としては、特に限定されないが、具体的には、シルフェイスＳＡＧ５０３Ａ（商品名、日信化学工業社製）、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４７、ＢＹＫ−３４８、ＢＹＫ−３４９（以上商品名、ビックケミー社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学社製）等が挙げられる。シリコーン系界面活性剤は、１種単独で使用してもよいし、２種以上を併用してもよい。
【００５０】
シリコーン系化合物の含有量は、インク組成物の総量（１００質量％）に対して、好ましくは０．０５〜２．０質量％であり、より好ましくは０．１〜１．０質量％であり、さらに好ましくは０．２〜０．８質量％である。シリコーン系化合物の含有量が上記範囲内であることにより、被記録媒体に付着したインク組成物の印字安定性がより向上する傾向にある。
【００５１】
＜界面活性剤＞
インク組成物は、光沢性の観点から、シリコーン系化合物以外の界面活性剤をさらに含むことが好ましい。界面活性剤としては、特に限定されないが、例えば、アセチレングリコール系界面活性剤、及びフッ素系界面活性剤が挙げられる。
【００５２】
アセチレングリコール系界面活性剤としては、特に限定されないが、２，４，７，９−テトラメチル−５−デシン−４，７−ジオール及び２，４，７，９−テトラメチル−５−デシン−４，７−ジオールのアルキレンオキサイド付加物、並びに２，４−ジメチル−５−デシン−４−オール及び２，４−ジメチル−５−デシン−４−オールのアルキレンオキサイド付加物から選択される１種以上が好ましい。アセチレングリコール系界面活性剤の市販品としては、特に限定されないが、例えば、オルフィン１０４シリーズやオルフィンＥ１０１０等のＥシリーズ（エアプロダクツ社（Air Products Japan, Inc.）製商品名）、サーフィノール１０４、４６５、６１、ＤＦ１１０Ｄ（日信化学工業社（Nissin Chemical Industry CO.,Ltd.）製商品名）が挙げられる。アセチレングリコール系界面活性剤は、１種単独で使用してもよいし、２種以上を併用してもよい。
【００５３】
フッ素系界面活性剤としては、特に限定されないが、例えば、パーフルオロアルキルスルホン酸塩、パーフルオロアルキルカルボン酸塩、パーフルオロアルキルリン酸エステル、パーフルオロアルキルエチレンオキサイド付加物、パーフルオロアルキルベタイン、及びパーフルオロアルキルアミンオキサイド化合物が挙げられる。フッ素系界面活性剤の市販品としては、特に限定されないが、例えば、Ｓ−１４４、Ｓ−１４５（以上商品名、旭硝子株式会社製）；ＦＣ−１７０Ｃ、ＦＣ−４３０、フロラード−ＦＣ４４３０（以上商品名、住友スリーエム株式会社製）；ＦＳＯ、ＦＳＯ−１００、ＦＳＮ、ＦＳＮ−１００、ＦＳ−３００（以上商品名、Ｄｕｐｏｎｔ社製）；ＦＴ−２５０、２５１（以上商品名、株式会社ネオス製）が挙げられる。フッ素系界面活性剤は、１種単独で使用してもよいし、２種以上を併用してもよい。
【００５４】
界面活性剤の含有量は、インク組成物の総量（１００質量％）に対して、好ましくは０．０５〜２．５質量％であり、より好ましくは０．１〜１．５質量％であり、さらに好ましくは０．２〜１．０質量％である。界面活性剤の含有量が上記範囲内であることにより、被記録媒体に付着したインク組成物の濡れ性がより向上する傾向にある。
【００５５】
＜水＞
本実施形態の水としては、例えば、イオン交換水、限外濾過水、逆浸透水、及び蒸留水等の純水、並びに超純水のような、イオン性不純物を極力除去したものが挙げられる。また、紫外線照射又は過酸化水素の添加等によって滅菌した水を用いると、凝集液を長期保存する場合にカビやバクテリアの発生を防止することができる。これにより貯蔵安定性がより向上する傾向にある。
【００５６】
インク組成物は、その他の成分として、溶解助剤、粘度調整剤、ｐＨ調整剤（例えばトリエタノールアミン）、酸化防止剤、防腐剤、防黴剤、腐食防止剤、分散に影響を与える金属イオンを捕獲するためのキレート化剤（例えば、エチレンジアミン四酢酸ナトリウム）等の、種々の添加剤を適宜含有することもできる。
【００５７】
〔被記録媒体〕
被記録媒体としては、普通紙、インクジェット用紙、アート紙、コート紙、キャスト紙、プラスチックフィルム、布帛等の公知の被記録媒体が適宜利用できる。
【００５８】
〔記録装置〕
次に、本実施形態の記録装置について説明する。本実施形態の記録装置は、本実施形態のインク組成物を収容する収容体と、該収容体から該インク組成物を供給される記録用ヘッドと、を接続する流路の少なくとも一部に備えられる弾性部材を有するものであれば特に限定されない。図１は、本実施形態に用い得るインクジェット記録装置の一例の全体の概略を示す側面図である。以下に、図面を参照して、本実施形態の記録装置を説明する。
【００５９】
本実施形態の記録装置はインクジェットプリンター１である。インクジェットプリンター１は、複数種類のインクを用いて被被記録媒体に印刷するものであり、筐体（図示省略）と、筐体の内部に収容されるプリンター機構部３と、プリンター機構部３を制御する制御部４を備える。プリンター機構部３は、カートリッジ装着部５と、記録用ヘッド６（液体吐出ヘッド）と、記録用ヘッド６にインク組成物を供給するインク供給系７と、記録用ヘッド６を搭載するキャリッジ８と、メンテナンスユニット９（メンテナンス機構）等を備える。キャリッジ８は、図示しないキャリッジ駆動機構によって、被記録媒体の搬送方向と交差する方向（主走査方向）に往復移動可能である。なお、プリンター機構部３は、上記の構成以外に、被記録媒体を搬送する搬送機構や給紙機構等を備えているが、図１ではその図示を省略する。
【００６０】
記録用ヘッド６は、主走査方向に５０ｃｍ以上移動可能であることが好ましく、１００ｃｍ以上移動可能であることがより好ましく、１５０ｃｍ以上移動可能であることがさらに好ましい。記録用ヘッドが５０ｃｍ以上移動可能である記録装置は、インク供給系７の距離が比較的長く、またインク供給系７を流通するインク組成物の流通量が比較的多い。したがって、本発明の効果がより顕著に発揮される。
【００６１】
カートリッジ装着部５には、インクカートリッジ２（液体収容部）が着脱可能に装着される。カートリッジ装着部５は、インクカートリッジ２を挿入する装着口５ａおよびインク供給針５ｂを備える。インクカートリッジ２は、カートリッジ装着部５内に挿入するときに先頭に位置する面に設けられたインク供給口２ａを備える。カートリッジ装着部５にインクカートリッジ２を装着すると、インク供給針５ｂがインク供給口２ａに挿入される。これにより、インクカートリッジ２がインク供給系７に接続される。
【００６２】
インク供給系７は、インクカートリッジ２のインクを記録用ヘッド６に供給する機構である。インク供給系７は、カートリッジ装着部５のインク供給針５ｂから記録用ヘッド６に至るインク流路１０と、インク流路１０の途中位置に設けられたバッファータンクユニット２０およびバルブユニット３０（流路切換機構）と、インク流路１０と記録用ヘッド６との接続部に設けられた自己封止弁４０を備える。インク流路１０は、インク供給針５ｂからバッファータンクユニット２０に至るカートリッジ側流路１１と、バッファータンクユニット２０から自己封止弁４０に至る印刷ヘッド側流路１２を備える。バルブユニット３０は、印刷ヘッド側流路１２の途中位置に設けられている。
【００６３】
インクジェットプリンター１は、複数種類のインク組成物を用いて印刷できるため、インク組成物の種類数に応じた数のインク供給系７を備える。例えば、６色のインク組成物で印刷する場合、６系統のインク供給系７を備える。この場合、カートリッジ装着部５には６つのインクカートリッジ２が装着される。インク流路１０は６本設けられ、それぞれにバッファータンクユニット２０、バルブユニット３０、および自己封止弁４０が設けられる。インクの種類数は、６以外の数、例えば４（シアン、マゼンダ、イエロー、黒の４種類）であってもよい。また、黒インクのみを用いて印刷する場合、インク供給系７を１系統のみにすることもできる。
【００６４】
バッファータンクユニット２０は、ダイアフラムポンプ２１と、モーター２２と、バッファータンク２３を備える。ダイアフラムポンプ２１は、インクカートリッジ２からインクを吸引してバッファータンク２３へ供給する。ダイアフラムポンプ２１は、カートリッジ側流路１１に接続されたポンプ室と、ポンプ室の上部開口を封鎖するダイアフラムと、ダイアフラムに連結した吸引用レバーを備える。図１では、ダイアフラムポンプ２１の内部構造は図示を省略している。ダイアフラムポンプ２１の吸引用レバーはモーター２２によって駆動される。インクカートリッジ２のインクをダイアフラムポンプ２１で吸引するときは、モーター２２を駆動して、吸引用レバーを介してダイアフラムを移動させ、ポンプ室に負圧を形成する。この負圧により、インクカートリッジ２に貯留されるインクがカートリッジ側流路１１を通ってダイアフラムポンプ２１のポンプ室に吸引される。カートリッジ側流路１１には逆止弁１３が設けられているので、インクカートリッジ２からダイアフラムポンプ２１へ向かう一方側へのみインクが流れる。
【００６５】
ここで、逆止弁１３は、例えば特開２０１１−０６４２８９号に記載される逆止弁を用いることができる。ここで、逆止弁は弁体及び該弁体を支持する支持体から構成されており、支持体は弾性部材で構成されている。
【００６６】
バッファータンク２３は、インク室２４（液体室）と、ダイアフラム２５と、加圧バネ２６（付勢部材）と、支持部材２７を備える。ダイアフラム２５は、インク室２４の上端開口を封鎖する。支持部材２７は、ダイアフラム２５の上方に配置される。加圧バネ２６は、支持部材２７とダイアフラム２５の間に配置され、ダイアフラム２５をインク室２４の底部に向けて付勢する。インク室２４はダイアフラムポンプ２１のポンプ室と連通している。ダイアフラムポンプ２１のモーター２２を駆動して、ポンプ室に負圧を形成してインクを吸引した後、ダイアフラムポンプ２１の吸引用レバーを駆動してポンプ室を加圧すると、ポンプ室内のインクがバッファータンク２３のインク室２４へ供給される。インク室２４は、加圧バネ２６の加圧力によって加圧されているので、インク室２４に導入されたインク組成物は印刷ヘッド側流路１２へ送り出される。従って、記録用ヘッド６にインク組成物が供給される。
【００６７】
印刷ヘッド側流路１２は、インク室２４の底部に設けられたインク流出口２４ａに接続される第１流路１４と、ダイアフラム２５に形成された気泡排出口２５ａに接続される第２流路１５を備える。第１流路１４は、インク流出口２４ａから自己封止弁４０に至る流路である。インク室２４のインク組成物は、インク流出口２４ａから第１流路１４へ流出可能であり、自己封止弁４０を経由して記録用ヘッド６へ供給される。インク流出口２４ａは、インク室２４の底部に位置する。従って、インク室２４にインク組成物と共に気泡が流入したとしても、第１流路１４には気泡が流入しにくい。
【００６８】
第２流路１５は可撓性の気泡排出チューブであり、第１流路１４の途中位置である合流位置Ａで第１流路１４に合流する。第２流路１５は、第１流路１４よりも流路断面積が小さく、合流位置Ａの近傍にメッシュフィルター１６（フィルター）が配置されている。ダイアフラム２５は、気泡排出口２５ａの外周に形成されたテーパー部２５ｂを備える。従って、インク室２４にインク組成物と共に気泡が流入すると、テーパー部２５ｂに沿って気泡排出口２５ａの近くに気泡が集まる。インク室２４のインク組成物は、第１流路１４から流出するだけでなく、第２流路１５からも流出可能である。第２流路１５から流出したインク組成物は、合流位置Ａで第１流路１４に合流する。気泡排出口２５ａの近傍に集まった気泡がインク組成物と共に第２流路１５に流入しても、通常のインク圧程度では、気泡はメッシュフィルター１６を通過せずに第２流路１５に留まる。
【００６９】
図１に示すように、自己封止弁４０は、記録用ヘッド６と共にキャリッジ８に搭載される。自己封止弁４０は、印刷ヘッド側流路１２（第１流路１４）で流路内のインク圧が変動しても、その圧力変動を印刷ヘッド内のインク流路（ヘッド内流路）に伝達しないように構成されている。
【００７０】
メンテナンスユニット９は、記録用ヘッド６のインクノズル面を覆うキャップ９ａと、キャップ９ａを昇降させる昇降機構（図示省略）と、吸引ポンプ９ｂを備える。キャップ９ａは、記録用ヘッド６がキャリッジ８の移動範囲の一端であるホームポジションに位置する状態で、記録用ヘッド６のインクノズル面と対向する。キャップ９ａでインクノズル面を覆った状態で、吸引ポンプ９ｂを駆動してキャップ９ａ内を吸引すると、キャップ９ａとインクノズル面との間の密閉空間に負圧が形成される。これにより、メンテナンスユニット９は、記録用ヘッド６内のインク組成物をキャップ９ａ内へ吸引してクリーニングを行うことができる。吸引したインク組成物は、キャップ９ａ内から図示しない廃インクタンクへ回収される。
【００７１】
（インクジェットプリンター１の制御）
図１に示すように、インクジェットプリンター１は制御部４を備える。制御部４は、図
示しない通信部を介して、上位装置から印刷データ等を受信する。制御部４の出力側には
、印刷ヘッド６、メンテナンスユニット９、ダイアフラムポンプ２１を駆動するモーター
２２、バルブ開閉部材３４を駆動するモーター３３等が接続される。また、制御部４の出
力側には、図示しないキャリッジ駆動機構や搬送機構等が接続される。さらに、第１バルブ３１と第２バルブ３２をいずれも、開閉状態に制御することができる。
【実施例】
【００７２】
以下、本発明を、実施例を用いてより具体的に説明する。本発明は、以下の実施例によって何ら限定されるものではない。
【００７３】
［顔料分散液の調製］
カーボンブラック（Ｃ．Ｉ．ピグメントブラック７（ＰＢｋ７））としてカラーブラックＳ１７０（商品名、デグッサ社製）６５質量部をスチレン−アクリル酸系分散樹脂であるジョンクリル６１１（商品名：ＢＡＳＦジャパン社製）３５質量部、水酸化カリウム１．７０質量部、イオン交換法と逆浸透法により精製した超純水２５０質量部を混合して、ジルコニアビーズによるボールミルにて１０時間分散を行った。得られた分散原液をガラス繊維ろ紙ＧＡ−１００（商品名：アドバンテック東洋社製）で濾過して粗大粒子を除き、顔料濃度が１５質量％となるように調整し、顔料分散液を得た。
【００７４】
［インク組成物用の材料］
使用したインク組成物用の主な材料は、以下の通りである。
〔色材〕
上記で調製した顔料分散液（顔料濃度：１５質量％）
〔樹脂〕
タケラックＷ−６０６１（商品名、ウレタン系樹脂、三井化学社製）
〔有機溶剤〕
１，２−ヘキサンジオール
グリセリン
〔シリコーン系化合物〕
ＢＹＫ３４８（商品名、ビック・ケミー社製）
シルフェイスＳＡＧ５０３Ａ（商品名、日信化学工業社製）
〔界面活性剤〕
オルフィンＥ１０１０（商品名、日信化学工業社製）
〔ｐＨ調整剤〕
トリエタノールアミン
〔水〕
純水
【００７５】
［インク組成物の調製］
各材料を下記の表１に示す組成で、ビーカーに色材及び樹脂以外の材料を入れて、撹拌子を用いて５分間撹拌した。次に樹脂を添加して１０分間撹拌し、さらに顔料分散液を添加して１５分間撹拌した。その後、孔径０．８μｍのメンブランフィルタにて濾過し、濾液からなるインク組成物を得た。なお、下記の表１中、数値の単位は質量％であり、合計は１００．０質量％である。
【００７６】
上記表１中で示した表面張力及びｐＨは、以下のように測定した。
表面張力の測定方法：自動表面張力計ＣＢＶＰ−Ｚ（協和界面科学社製）を用いて、２０℃環境下で白金プレートをインク組成物で濡らしたときの表面張力を測定した。
ｐＨの測定方法：卓上ｐＨメーターＦ−７２型（堀場製作所製）を用いて、電極部分をインク組成物に浸してｐＨを測定した。
【００７７】
【表１】
2019099648.tif 000006
【００７８】
〔低分子シロキサン化合物の含有量〕
低分子シロキサン化合物の含有量は、次のとおりに求めた。１００ｍＬのガラス瓶にインク組成物１ｍＬを収容し、ガラス瓶の蓋を閉めて、室温で一晩静置して平衡状態とした。その後、ガラス瓶内に不活性ガスを５分間流して、揮発成分を捕集した。捕集した揮発成分を、５９７７ＢシリーズＧＣ／ＭＳＤシステム（商品名、アジレント・テクノロジー社製）を用いたガスクロマトグラフィー質量分析法（ＧＣ／ＭＳ）により測定し、標準物質により検量線を作成して、低分子シロキサン化合物（一般式（１）及び（２）で表される化合物）の含有量を求めた。また、低分子シロキサン化合物のうち、トリメチルシラノールとヘキサメチルジシロキサンとの合計含有量も算出した。結果を表１に示す。
【００７９】
〔膨潤性〕
表２中の各弾性部材の外形寸法を測定した。１００ｍＬスクリュー瓶に各インク組成物を１００ｍＬ収容し、弾性部材をインク組成物中に浸漬し、６０℃に設定した恒温槽中に５日間静置した。その後、スクリュー瓶中から弾性部材を取り出して、３０分以内に外形寸法を測定した。浸漬する前後の弾性部材の外形寸法（最も長い寸法）から、下記式より膨潤率を算出して、下記評価基準により膨潤性を評価した
膨潤率＝（溶媒浸漬後の弾性部材の外形寸法−溶媒浸漬前の弾性部材の外形寸法）／（溶媒浸漬前の弾性部材の外形寸法）×１００
（評価基準）
Ａ：膨潤率が１％未満
Ｂ：膨潤率が１％以上２％未満
Ｃ：膨潤率が２％以上３％未満
Ｄ：膨潤率が３％以上
【００８０】
【表２】
2019099648.tif 000007
【符号の説明】
【００８１】
１…インクジェットプリンター（記録装置）、２…インクカートリッジ（液体収容部）、２ａ…インク供給口、３…プリンター機構部、４…制御部、５…カートリッジ装着部、５ａ…装着口、５ｂ…インク供給針、６…記録用ヘッド、７…インク供給系、８…キャリッジ、９…メンテナンスユニット（メンテナンス機構）、９ａ…キャップ、９ｂ…吸引ポンプ、１０…インク流路、１１…カートリッジ側流路、１２…印刷ヘッド側流路、１３…逆止弁、１４…第１流路、１５…第２流路、１６…メッシュフィルター（フィルター）、２０…バッファータンクユニット、２１…ダイアフラムポンプ、２２…モーター、２３…バッファータンク、２４…インク室（液体室）、２４ａ…インク流出口、２５…ダイアフラム、２５ａ…気泡排出口、２５ｂ…テーパー部、２６…加圧バネ（付勢部材）、２７…支持部材、３０…バルブユニット（流路切換機構）、３１…第１バルブ、３２…第２バルブ、３３…モーター、４０…自己封止弁
【図１】
2019099648.tif 000010